(57)【要約】【課題】画質の低下を抑えつつフレームレート変換を行うことができる表示装置を得る。【解決手段】フレーム映像のフレームレートを変換するフレームレート変換部と、フレームレート変換部により変換された映像に基づいて表示を行う表示部とを備える。上記フレームレート変換部は、表示部の主画面の一部領域に配置された子画面の大きさに基づき、子画面の映像に対して、時間軸に沿った補間処理を行うものである。【選択図】図６
2013143646.tif 000002
【特許請求の範囲】
【請求項１】
フレーム映像のフレームレートを変換するフレームレート変換部と、
前記フレームレート変換部により変換された映像に基づいて表示を行う表示部と
を備え、
前記フレームレート変換部は、前記表示部の主画面の一部領域に配置された子画面の大きさに基づき、前記子画面の映像に対して、時間軸に沿った補間処理を行う
表示装置。
【請求項２】
前記フレームレート変換部は、前記子画面の映像における動き量を検出し、その動き量および前記子画面の大きさに基づいて、前記補間処理を行う
請求項１に記載の表示装置。
【請求項３】
前記フレームレート変換部は、前記動き量をしきい値と比較し、その比較結果に応じて前記補間処理を行う
請求項２に記載の表示装置。
【請求項４】
前記フレームレート変換部は、前記子画面の大きさに基づいて前記しきい値を補正する
請求項３に記載の表示装置。
【請求項５】
前記フレームレート変換部は、前記子画面が大きいほど、前記しきい値を大きくするように補正する
請求項４に記載の表示装置。
【請求項６】
前記フレームレート変換部は、前記子画面の大きさに基づいて前記動き量を補正する
請求項２に記載の表示装置。
【請求項７】
前記フレームレート変換部は、前記子画面が大きいほど、前記動き量を小さくするように補正する
請求項６に記載の表示装置。
【請求項８】
前記動き量は、前記子画面の映像における各動きベクトルの大きさの和である
請求項２に記載の表示装置。
【請求項９】
前記動き量は、前記子画面の映像において、大きさが所定値よりも大きい動きベクトルの数である
請求項２に記載の表示装置。
【請求項１０】
前記フレームレート変換部は、前記動き量および前記子画面の大きさに基づいて、選択的に前記補間処理を行う
請求項８に記載の表示装置。
【請求項１１】
前記子画面の映像は動画である
請求項１に記載の表示装置。
【請求項１２】
前記子画面の映像では、互いに等しい画像の時間軸に沿った連続配置が、所定のパターンで生じる
請求項１１に記載の表示装置。
【請求項１３】
前記フレームレート変換部は、前記動き量に基づいて前記所定のパターンを検出し、その所定のパターンに応じて、前記補間処理の方法を変更する
請求項１２に記載の表示装置。
【請求項１４】
入力映像に含まれる各画像を、前記所定のパターンになるように繰り返すことにより、前記子画面の映像を生成する映像生成部をさらに備えた
請求項１２に記載の表示装置。
【請求項１５】
前記入力映像はＩＰＴＶ映像である
請求項１４に記載の表示装置。
【請求項１６】
前記子画面の映像を含むフレーム映像を生成するとともに、前記子画面の映像を配置した領域を示す領域情報を生成する処理部をさらに備え、
前記フレームレート変換部は、前記領域情報に基づいて、前記子画面の大きさを取得する
請求項１に記載の表示装置。
【請求項１７】
フレーム映像のフレームレートを変換するフレームレート変換部を備え、
前記フレームレート変換部は、表示部の主画面の一部領域に配置された子画面の大きさに基づき、前記子画面の映像に対して、時間軸に沿った補間処理を行う
フレームレート変換装置。
【請求項１８】
表示部の主画面の一部領域に配置された子画面の映像に対する時間軸に沿った補間処理を、前記子画面の大きさに基づいて制御し、映像のフレームレートを変換し、表示を行う
表示方法。
【発明の詳細な説明】
【技術分野】
【０００１】
本開示は、映像のフレームレートを変換し表示する表示装置、およびそのような表示装置に用いられるフレームレート変換装置、ならびに表示方法に関する。
【背景技術】
【０００２】
表示装置における画質向上のための映像信号処理の一つに、フレーム補間を用いたフレームレート変換がある。このフレームレート変換は、映像の時間的に隣接するフレーム画像を補間した補間フレーム画像を生成し（フレーム画像補間処理）、その映像にその補間フレーム画像を追加するものである（例えば、特許文献１など）。これにより、表示された映像は、より滑らかな映像になるとともに、例えば表示装置が液晶表示装置である場合には、画素の状態が１フレームの間保持し続けることに起因するいわゆる動きボケが低減され、その画質が向上するようになる。
【０００３】
ところで、表示装置は、例えば、いわゆるＰＩＰ（Picture In Picture）により、１つの映像を表示画面全体に表示するとともに、他の映像を表示画面の一部分に表示して、２画面表示を行うことがある。この２画面表示では、表示する２つの映像は一般にそのコンテンツが互いに異なるため、表示画面全体に対してフレーム画像補間処理を行うと画質が低下するおそれがある。このような場合におけるフレームレート変換について、いくつかの検討がなされている（例えば特許文献２，３など）。
【先行技術文献】
【特許文献】
【０００４】
【特許文献１】特開２０１０−５６６９４号公報
【特許文献２】特開２００９−１１１９３６号公報
【特許文献３】特開２００９−２６７６１２号公報
【発明の概要】
【発明が解決しようとする課題】
【０００５】
このように、表示装置では、複数画面表示の場合であっても、画質の低下を抑えつつフレームレート変換を行うことが好ましく、さらなる画質の向上が望まれている。
【０００６】
本開示はかかる問題点に鑑みてなされたもので、その目的は、複数画面表示の場合において、画質の低下を抑えつつフレームレート変換を行うことができる表示装置、フレームレート変換装置、および表示方法を提供することにある。
【課題を解決するための手段】
【０００７】
本開示の表示装置は、フレームレート変換部と、表示部とを備える。フレームレート変換部は、フレーム映像のフレームレートを変換するものである。表示部は、フレームレート変換部により変換された映像に基づいて表示を行うものである。上記フレームレート変換部は、表示部の主画面の一部領域に配置された子画面の大きさに基づき、子画面の映像に対して、時間軸に沿った補間処理を行うものである。
【０００８】
本開示のフレームレート変換装置は、フレームレート変換部を備えている。フレームレート変換部は、フレーム映像のフレームレートを変換するものである。上記フレームレート変換部は、表示部の主画面の一部領域に配置された子画面の大きさに基づき、子画面の映像に対して、時間軸に沿った補間処理を行うものである。
【０００９】
本開示の表示方法は、表示部の主画面の一部領域に配置された子画面の映像に対する時間軸に沿った補間処理を、子画面の大きさに基づいて制御し、映像のフレームレートを変換し、表示を行うものである。
【００１０】
本開示の表示装置、フレームレート変換装置、および表示方法では、フレームレート変換された映像が表示される。その際、表示部の主画面の一部領域に配置された子画面の映像に対する補間処理が、子画面の大きさに基づいて行われる。
【発明の効果】
【００１１】
本開示の表示装置、フレームレート変換装置、および表示方法によれば、子画面の大きさに基づいて補間処理を行うようにしたので、画質の低下を抑えつつフレームレート変換を行うことができる。
【図面の簡単な説明】
【００１２】
【図１】本開示の実施の形態に係る表示装置の一構成例を表すブロック図である。
【図２】図１に示した変換処理部の一動作例を表す模式図である。
【図３】図１に示した変換処理部の他の動作例を表す模式図である。
【図４】図１に示した映像信号に係るフレーム画像の一例を表すものである。
【図５】図１に示した領域信号の一例を表すものである。
【図６】図１に示したフレームレート変換部の一構成例を表すブロック図である。
【図７】図６に示した画像補間部の一動作例を表す模式図である。
【図８】図６に示した制御部の一動作例を表す模式図である。
【図９】図６に示した制御部の他の動作例を表す模式図である。
【図１０】図６に示した画像補間部における画像補間処理の一例を表す模式図である。
【図１１】図６に示した画像補間部における画像補間処理の他の例を表す模式図である。
【図１２】図６に示した画像補間部における画像補間処理の他の例を表す模式図である。
【図１３】図４に示した部分表示領域の一例を表す説明図である。
【図１４】図６に示したパラメータ補正部および制御部の一動作例を表す模式図である。
【図１５】変形例に係るフレームレート変換部の一構成例を表すブロック図である。
【図１６】他の変形例に係る表示装置の一構成例を表すブロック図である。
【図１７】他の変形例に係る表示装置の一構成例を表すブロック図である。
【図１８】他の変形例に係るフレームレート変換部の一構成例を表すブロック図である。
【発明を実施するための形態】
【００１３】
以下、本開示の実施の形態について、図面を参照して詳細に説明する。
【００１４】
［構成例］
図１は、実施の形態に係る表示装置の一構成例を表すものである。表示装置１は、放送波などにより供給される放送映像に加え、インターネットにより供給されるＩＰＴＶ（Internet Protocol TV）映像をも表示できるように構成されたものである。なお、本開示の実施の形態に係るフレームレート変換装置および表示方法は、本実施の形態により具現化されるので、併せて説明する。
【００１５】
表示装置１は、チューナ１１と、ネットワークインターフェース２１と、映像信号処理部１２と、パラメータ設定部１４と、フレームレート変換部３０と、映像処理部１５と、表示駆動部１６と、表示部１７とを備えている。
【００１６】
チューナ１１は、アンテナ１９において受信された放送波から、所望の放送映像の信号（ストリーム）を選択するものである。そして、チューナ１１は、選択した放送映像の映像信号を、映像信号処理部１２に供給するようになっている。
【００１７】
ネットワークインターフェース２１は、インターネットＮＷに接続され、例えばインターネット動画共有サービス（図示せず）などから供給されたＩＰＴＶ映像の映像信号を受信するものである。ＩＰＴＶ映像のフレームレートは、例えば、１５［ｆｐｓ］、２４［ｆｐｓ］、３０［ｆｐｓ］などであり、一般に、放送映像のフレームレート（例えば６０［ｆｐｓ］）に比べて低いものである。このネットワークインターフェース２１は、内部バス２９を介してＣＰＵ（Central Processing Unit）２２、メモリ２３、およびフラッシュＲＯＭ（Read Only Memory）２４に接続されるとともに、この内部バス２９を介して映像信号処理部１２と接続されている。ネットワークインターフェース２１は、受信したＩＰＴＶ映像の映像信号を、この内部バス２９を介して映像信号処理部１２に供給するようになっている。
【００１８】
映像信号処理部１２は、チューナ１１およびネットワークインターフェース２１から供給された映像信号に対して、所定の映像信号処理を行うものである。映像信号処理部１２は、ＩＰＴＶ映像など、そのフレームレートが６０［ｆｐｓ］よりも低い映像を、６０［ｆｐｓ］の映像に変換（プルダウン）するための変換処理部１３を備えている。
【００１９】
映像信号処理部１２は、チューナ１１から映像信号が供給される場合には、まず、その映像信号をデコードする。すなわち、この映像信号はＭＰＥＧ（Moving Picture Experts Group）によりエンコードされているため、まずデコードする。また、映像信号処理部１２は、ネットワークインターフェース２１から映像信号が供給される場合には、まず、その映像信号を同様にデコードし、その後、映像信号処理部１２の変換処理部１３が、後述するように、そのデコードされたＩＰＴＶ映像の映像信号を、６０［ｆｐｓ］の映像信号に変換（プルダウン）する。次に、映像信号処理部１２は、後述するように、表示装置１の表示モードに応じて、表示画面（主画面）の一部分にその映像の表示領域（子画面）を割り当てる、いわゆる２画面表示処理を行うとともに、その表示領域を示す領域信号Ｓｒｐを生成する。そして、映像信号処理部１２は、コントラスト強調、エッジ強調、インターレース／プログレッシブ変換などの映像信号処理を行い、映像信号Ｓdispを生成する。なお、この例では、２画面表示処理を行った後に各種映像信号処理を行うようにしたが、これに限定されるものではなく、例えば、映像信号処理のうちの一部もしくは全部を２画面表示処理の前に行うようにしてもよい。
【００２０】
以下に、映像信号処理部１２について、より詳細に説明する。まず、変換処理部１３における変換（プルダウン）処理について、供給されたＩＰＴＶ映像のフレームレートが２４［ｆｐｓ］である場合と３０［ｆｐｓ］である場合を例として説明する。なお、これらのフレームレートは、例えば携帯電話やデジタルカメラなどの携帯型電子機器を用いて映像を撮影した場合にしばしば使用されるものであり、特に、２４［ｆｐｓ］は、コンテンツが映画（フィルム）の場合に使用されるものである。
【００２１】
図２は、２４［ｆｐｓ］のＩＰＴＶ映像に対する変換処理の一例を模式的に表すものであり、（Ａ）は変換前の映像を示し、（Ｂ）は変換後の映像を示す。図２において、例えば、“Ｅ(n)”は、ｎ番目のフレーム画像Ｅを示し、“Ｅ(n+1)”は、（ｎ＋１）番目のフレーム画像Ｅを示す。図２に示したように、変換処理部１３は、２４［ｆｐｓ］（周期Ｔ１＝４１．７［ｍｓｅｃ］）の映像を、いわゆる３：２プルダウンにより６０［ｆｐｓ］（周期Ｔ２＝１６．６［ｍｓｅｃ］）の映像に変換する。具体的には、変換処理部１３は、例えば、フレーム画像Ｅ(n)を３回繰り返した後に、続くフレーム画像Ｅ(n+1)を２回繰り返すことにより、映像を変換する。
【００２２】
図３は、３０［ｆｐｓ］のＩＰＴＶ映像に対する変換処理の一例を模式的に表すものであり、（Ａ）は変換前の映像を示し、（Ｂ）は変換後の映像を示す。図３に示したように、変換処理部１３は、３０［ｆｐｓ］（周期Ｔ１＝３３．３［ｍｓｅｃ］）の映像を、いわゆる２：２プルダウンにより６０［ｆｐｓ］（周期Ｔ２＝１６．６［ｍｓｅｃ］）の映像に変換する。具体的には、変換処理部１３は、各フレーム画像Ｅをそれぞれ２回ずつ繰り返すことにより、映像を変換する。
【００２３】
また、図示しないが、同様に、１５［ｆｐｓ］のＩＰＴＶ映像に対しては、変換処理部１３は、いわゆる４：４プルダウンにより、６０［ｆｐｓ］の映像に変換する。すなわち、変換処理部１３は、各フレーム画像Ｅをそれぞれ４回ずつ繰り返すことにより、映像を変換する。
【００２４】
このように変換処理部１３が変換処理を行った一連のフレーム画像Ｅでは、図２（Ｂ），図３（Ｂ）に示したように、同じフレーム画像Ｅの連続配置が、所定のパターン（配置パターン）で現れる。このような所定の配置パターンを持つ映像を、以下において適宜、フィルム映像と呼ぶ。一方、放送映像のように、このような所定の配置パターンを持たない映像を、以下において適宜、ビデオ映像と呼ぶ。
【００２５】
次に、２画面表示処理について説明する。映像信号処理部１２は、表示装置１がＩＰＴＶ映像表示モードで動作する場合において、表示画面の一部分に部分表示領域ＲＰを設け、その部分表示領域ＲＰにＩＰＴＶ映像のフレーム画像Ｅを割り当てることにより、フレーム画像Ｆ（主画面の画像）を生成する。
【００２６】
図４は、ＩＰＴＶ映像表示モードにおける、２画面表示処理の一例を表すものである。この例では、フレーム画像Ｆの画素数は、ＨＤ（High Definition）映像に対応する画素数（１９２０ピクセル×１０８０ピクセル）である。ＩＰＴＶ映像表示モードでは、図４に示したように、フレーム画像Ｆの一部分が部分表示領域ＲＰに設定され、この部分表示領域ＲＰに、ＩＰＴＶ映像のフレーム画像Ｅが部分画像Ｐ（子画面の画像）としてはめ込まれる。この部分表示領域ＲＰの大きさは、そのＩＰＴＶ映像の画素数に対応するものであり、供給されたＩＰＴＶ映像の大きさに応じて変化するものである。ＩＰＴＶ映像の画素数は、具体的には、例えば３２０ピクセル×２４０ピクセルや、４８０ピクセル×３６０ピクセルなどである。また、部分表示領域ＲＰ以外の領域には、そのＩＰＴＶ映像のタイトルや説明、視聴可能な他のＩＰＴＶ映像のコンテンツの一覧などが表示される。すなわち、この例では、部分表示領域ＲＰの画像は動画であり、部分表示領域ＲＰ以外の領域の画像は静止画である。
【００２７】
このようにして、映像信号処理部１２は、ＩＰＴＶ映像表示モードにおいて、部分表示領域ＲＰにＩＰＴＶ映像のフレーム画像Ｅを割り当てる（はめ込む）ことにより、フレーム画像Ｆを生成する。その際、映像信号処理部１２は、フレーム画像Ｆにおける部分表示領域ＲＰの位置を画素単位で示す領域信号Ｓｒｐを生成する。
【００２８】
図５は、領域信号Ｓｒｐの一例を表すものであり、（Ａ）は映像信号Ｓdispの波形を示し、（Ｂ）は領域信号Ｓｒｐの波形を示す。映像信号Ｓdispは、図５（Ａ）に示したように、赤（Ｒ）、緑（Ｇ）、青（Ｂ）の３つのサブ画素から構成される画素に対する画素信号Ｓpixを含んでいる。画素信号Ｓpixは、この例では、映像信号Ｓdispにおいて、画面の１ラインの左端の画素のものから順に配列しており、さらに、その１ライン分の画素信号Ｓpixが画面の上端のものから順に配列している。領域信号Ｓｒｐは、部分表示領域ＲＰに属する画素に係る画素信号Ｓpixが現れるタイミングに対応して、その信号がアクティブ（この例では高レベル）になるものである。
【００２９】
これにより、この領域信号Ｓｒｐが供給されるフレームレート変換部３０では、後述するように、この領域信号Ｓｒｐに基づいて、フレーム画像Ｆにおける部分表示領域ＲＰの位置を取得することができるようになっている。
【００３０】
パラメータ設定部１４は、フレームレート変換部３０がフレームレート変換を行うためのパラメータを設定する機能を有している。具体的には、パラメータ設定部１４は、後述するように、フレームレート変換部３０の画像補間部３６（後述）を制御するためのパラメータＰａ１〜Ｐａ４を保持し、フレームレート変換部３０に供給するものである。以下、パラメータＰａ１〜Ｐａ４を総称して、適宜、パラメータＰａを用いる。パラメータＰａは、あらかじめ初期値として設定されているものである。また、ユーザがＯＳＤメニューなどの指示に従って調整できるように構成してもよい。
【００３１】
フレームレート変換部３０は、映像信号Ｓdisp、領域信号Ｓｒｐ、およびパラメータＰａに基づいて、フレームレート変換を行うものである。このフレームレート変換は、この例では６０［ｆｐｓ］から１２０［ｆｐｓ］へ、フレームレートを２倍に変換するものである。なお、これに限定されるものではなく、これに代えて、例えば、６０［ｆｐｓ］から２４０［ｆｐｓ］へ、フレームレートを４倍に変換してもよい。フレームレート変換部３０は、このフレームレート変換を行う際、領域信号Ｓｒｐに基づいて求められた部分画面領域ＲＰ内の映像（部分画像Ｐ）に対してのみ、時間軸上の画像補間処理を行う。すなわち、上述したＩＰＴＶ映像表示モード（図４）では、部分画面領域ＲＰに配置されたＩＰＴＶ映像に対してのみ画像補間処理が行われるようになっている。
【００３２】
図６は、フレームレート変換部３０の一構成例を表すものである。フレームレート変換部３０は、フレームメモリ３１と、動きベクトル検出部３２と、パラメータ補正部３４と、制御部４０と、画像補間部３６とを備えている。
【００３３】
フレームメモリ３１は、映像信号処理部１２から供給される映像信号Ｓdispに含まれる１フレーム分のフレーム画像Ｆを保持することにより、１つ前のフレーム画像Ｆを出力する機能を有している。
【００３４】
動きベクトル検出部３２は、映像信号Ｓdispに含まれるフレーム画像Ｆおよびフレームメモリ３１から供給される１つ前のフレーム画像Ｆに基づいて、例えばいわゆるブロックマッチング処理により、画像の変化を示す動きベクトルＶを検出するものである。具体的には、動きベクトル検出部３２は、供給された一連のフレーム画像Ｆのうちの時間的に隣接する２枚のフレーム画像Ｆの画像情報に基づいて、例えば画素単位で、表示内容の水平方向および垂直方向の動きを検出し、動きベクトルＶを求める。そして、動きベクトル検出部３２は、画素単位で求めた一連の動きベクトルＶを、動きベクトル信号Ｓｖとして出力するようになっている。なお、この例では画素単位で動きベクトルＶを求めたが、これに限定されるものではなく、これに代えて、例えば、複数の画素からなる画素ブロック単位で表示内容の動きを検出して動きベクトルＶを求めるようにしてもよい。
【００３５】
パラメータ補正部３４は、領域信号Ｓｒｐに基づいて、パラメータ設定部１４から供給されたパラメータＰａを補正するものである。具体的には、パラメータ補正部３４は、後述するように、領域信号Ｓｒｐから求めた部分表示領域ＲＰの大きさ（画素数）に基づいて、パラメータＰａ１〜Ｐａ４をそれぞれ補正することにより、パラメータＰｂ１〜Ｐｂ４を生成するようになっている。以下、パラメータＰｂ１〜Ｐｂ４を総称して、適宜、パラメータＰｂを用いる。
【００３６】
制御部４０は、動きベクトル信号Ｓｖ、領域信号Ｓｒｐ、およびパラメータＰｂに基づいて、画像補間部３６を制御するものである。具体的には、制御部４０は、パラメータＰｂ、および領域信号Ｓｒｐから求めた部分表示領域ＲＰにおける動きベクトルＶに基づいて、所定の検出動作を行い、その検出結果に基づいて、画像補間部３６を制御するようになっている。すなわち、制御部４０は、部分表示領域ＲＰに表示されるべき映像（部分画像Ｐ）に対する検出結果に基づいて、画像補間部３６を制御する。制御部４０は、静止画検出部４１と、シーン変化検出部４２と、動き検出部４３と、映像種別検出部４４とを有している。
【００３７】
静止画検出部４１は、部分表示領域ＲＰに表示されるべき映像が静止画であるかどうかを検出するものである。シーン変化検出部４２は、部分表示領域ＲＰに表示されるべき映像において、シーンが切り替わり、その映像が急激に変化したかどうかを検出するものである。動き検出部４３は、動きベクトルＶの大きさが、ブロックマッチング処理における探索範囲を超えるほどの大きさであるかどうかを検出することにより、この映像の動きが大きいかどうかを検出するものである。そして、制御部４０は、静止画検出部４１、シーン変化検出部４２、および動き検出部４３における検出結果に基づいて、制御信号ＣＴＬを生成し、画像補間部３６を制御するようになっている。
【００３８】
映像種別検出部４４は、部分表示領域ＲＰに表示されるべき映像の種別を検出するものである。具体的には、映像種別検出部４４は、部分表示領域ＲＰにおける映像がフィルム映像であるかビデオ映像であるかを検出する。そして、この映像がフィルム映像であると判断した場合には、映像種別検出部４４は、この映像が、変換処理部１３において、どのように変換（プルダウン）されたものであるか、すなわち、例えば３：２プルダウン、２：２プルダウン、４：４プルダウンのうちのいずれにより変換されたものかを検出する。そして、制御部４０は、映像種別検出部４４における検出結果に基づいて、映像種別信号ＣＴＬＭを生成し、画像補間部３６を制御するようになっている。
【００３９】
画像補間部３６は、動きベクトル信号Ｓｖ、領域信号Ｓｒｐ、制御信号ＣＴＬ、および映像種別信号ＣＴＬＭに基づいて、画像補間処理を行うものである。具体的には、画像補間部３６は、映像信号Ｓdispおよびフレームメモリ３１から供給された２枚のフレーム画像Ｆの画像のうちの、領域信号Ｓｒｐから求めた部分表示領域ＲＰにおける映像（部分画像Ｐ）に対して画像補間処理を行うことにより、補間部分画像Ｐｉを生成し、その補間部分画像Ｐｉを含む補間フレーム画像Ｆｉを生成する。そして、画像補間部３６は、例えば、フレーム画像Ｆおよび補間フレーム画像Ｆｉからなる一連の画像を、映像信号Ｓdisp2として出力するようになっている。
【００４０】
図７は、部分表示領域ＲＰにおける映像に対する画像補間処理の一例を模式的に表すものであり、（Ａ）は処理前の映像を示し、（Ｂ）は処理後の映像を示す。この例は、ビデオ映像に対する画像補間処理を表すものである。この画像補間処理は、時間的に隣接する２枚の部分画像Ｐの画像情報に基づいて補間部分画像Ｐｉを生成し、それらの部分画像Ｐの間にその補間部分画像Ｐｉを挿入することにより行われる。例えば、図７（Ａ）に示したように、ボール９が部分画像Ｐの左から右へ移動する映像の場合では、図７（Ｂ）に示したように、隣接する部分画像Ｐの間に補間部分画像Ｐｉを挿入することにより、ボール９がより滑らかに移動するようになる。また、例えば、表示部１７（後述）が液晶により構成される場合には、画素の状態が１フレーム期間の間保持し続けることに起因するいわゆる動きボケが生じるが、この補間部分画像Ｐｉを挿入することによりその影響を低減することができる。
【００４１】
画像補間部３６は、このようにして生成した補間部分画像Ｐｉを用いて補間フレーム画像Ｆｉを生成する。具体的には、画像補間部３６は、部分画面領域ＲＰに対しては補間部分画像Ｐｉを用い、部分画面領域ＲＰ以外の領域に対しては直前のフレーム画像Ｆを用いて、補間フレーム画像Ｆｉを生成する。そして、画像補間部３６は、図７に示した例では、隣接するフレーム画像Ｆの間に補間フレーム画像Ｆｉを挿入することにより、フレームレートを２倍に変換を行うようになっている。
【００４２】
映像処理部１５は、フレームレート変換部３０によりフレームレート変換された映像信号Ｓdisp2に対して、ガンマ処理やオーバードライブ処理などの所定の映像処理を施す機能を有している。表示駆動部１６は、映像処理部１５から供給された映像情報に基づいて、表示部１７を駆動するものである。表示部１７は、表示駆動部１６から供給される信号に基づいて、表示を行うようになっている。この例では、表示部１７は、リフレッシュレートが１２０［Ｈｚ］である、いわゆる２倍速表示が可能な表示部である。
【００４３】
ここで、変換処理部１３は、本開示における「映像生成部」の一具体例に対応する。映像信号処理部１２は、本開示における「処理部」の一具体例に対応する。領域信号Ｓrpは、本開示における「領域情報」の一具体例に対応する。
【００４４】
［動作および作用］
続いて、本実施の形態の表示装置１の動作および作用について説明する。
【００４５】
（全体動作概要）
まず、図１，７等を参照して、表示装置１の全体動作概要を説明する。チューナ１１は、アンテナ１９において受信された放送波から、所望の放送映像の信号（ストリーム）を選択する。ネットワークインターフェース２１は、インターネットＮＷを介して、ＩＰＴＶ映像の映像信号を受信する。映像信号処理部１２は、チューナ１１およびネットワークインターフェース２１から供給された映像信号に対して所定の映像信号処理を行い、映像信号Ｓdispを生成するとともに、領域信号Ｓｒｐを生成する。パラメータ設定部１４はパラメータＰａを設定する。
【００４６】
フレームレート変換部３０は、映像信号Ｓdisp、領域信号Ｓｒｐ、およびパラメータＰａに基づいて、フレームレート変換を行う。具体的には、フレームレート変換部３０において、フレームメモリ３１は、映像信号Ｓdispに含まれる１つ前のフレーム画像Ｆを出力する。動きベクトル検出部３２は、時間的に隣接する２枚のフレーム画像Ｆに基づいて動きベクトルＶを検出し、動きベクトル信号Ｓｖを生成する。パラメータ補正部３４は、領域信号Ｓｒｐに基づいて、パラメータ設定部１４から供給されたパラメータＰａを補正してパラメータＰｂを生成する。制御部４０は、動きベクトル信号Ｓｖ、領域信号Ｓｒｐ、およびパラメータＰｂに基づいて、部分表示領域Ｒｐにおける動きベクトルＶに基づいて所定の検出動作を行い、制御信号ＣＴＬおよび映像種別信号ＣＴＬＭを生成する。画像補間部３６は、動きベクトル信号Ｓｖ、領域信号Ｓｒｐ、制御信号ＣＴＬ、および映像種別信号ＣＴＬＭに基づいて、部分表示領域Ｒｐに表示されるべき映像（部分画像Ｐ）に対して画像補間処理を行い、映像信号Ｓdisp2を生成する。
【００４７】
映像処理部１５は、映像信号Ｓdisp2に対して所定の映像処理を施す。表示駆動部１６は、映像処理部１５から供給された映像情報に基づいて表示部１７を駆動する。表示部１７は、表示駆動部１６から供給される駆動信号に基づいて表示を行う。
【００４８】
次に、フレームレート変換部３０の詳細動作を説明する。
【００４９】
（制御部４０および画像補間部３６）
制御部４０は、動きベクトル信号Ｓｖ、領域信号Ｓｒｐ、およびパラメータＰｂに基づいて、部分表示領域ＲＰに表示されるべき映像に対して所定の検出動作を行い、制御信号ＣＴＬおよび映像種別信号ＣＴＬＭを生成する。そして、画像補間部３６は、これらの制御信号ＣＴＬおよび映像種別信号ＣＴＬＭに基づいて画像補間処理を行う。以下に、その詳細を説明する。
【００５０】
制御部４０の静止画検出部４１は、部分表示領域ＲＰに表示されるべき映像が静止画であるかどうかを検出する。具体的には、静止画検出部４１は、まず、領域信号Ｓｒｐから求めた部分表示領域ＲＰ内において、動きベクトルＶの大きさの合計値（検出値Ｄ１）を求める。次に、静止画検出部４１は、その検出値Ｄ１を、パラメータ補正部３４から供給されたパラメータＰｂ１と比較し、その検出値Ｄ１がパラメータＰｂ１以下である場合には、画像補間部３６が画像補間処理を行わないように、制御信号ＣＴＬを介して画像補間部３６を制御する。すなわち、部分表示領域ＲＰに表示されるべき映像が静止画である場合には、その検出値Ｄ１が十分に小さくなり、パラメータＰｂ１以下になるため、静止画検出部４１は、画像補間部３６が画像補間処理を行わないように、画像補間部３６を制御する。これにより、画像補間部３６は、部分表示領域ＲＰに対して画像補間処理を行わず、直前のフレーム画像Ｆをそのまま用いて映像信号Ｓdisp2を生成する。
【００５１】
部分表示領域ＲＰに表示されるべき映像が静止画である場合には、この領域内の動きベクトルＶが全て０になることが期待されるが、実際には、ノイズなどの影響により、０でない動きベクトルＶが生じてしまうおそれがあり、この場合には、この動きベクトルＶにより画像補間が行われることにより、画質が低下してしまう。表示装置１では、このような０でない動きベクトルＶが生じてしまった場合でも、画像補間部３６が画像補間処理を行わないようにしたので、画質が低下するおそれを低減することができる。
【００５２】
シーン変化検出部４２は、部分表示領域ＲＰに表示されるべき映像において、シーンが切り替わり、その映像が急激に変化したかどうかを検出する。具体的には、シーン変化検出部４２は、静止画検出部４１と同様に、まず、領域信号Ｓｒｐから求めた部分表示領域ＲＰ内において、動きベクトルＶの大きさの合計値（検出値Ｄ２）を求める。次に、シーン変化検出部４２は、その検出値Ｄ２を、パラメータ補正部３４から供給されたパラメータＰｂ２と比較し、その検出値Ｄ２がパラメータＰｂ２以上である場合には、画像補間部３６が画像補間処理を行わないように、制御信号ＣＴＬを介して画像補間部３６を制御する。すなわち、部分表示領域ＲＰに表示されるべき映像のシーンが切り換わる場合には、動きベクトル検出部３２は、正常に動きベクトルＶを求めることができず、その検出値Ｄ２が大きくなり、パラメータＰｂ２以上になるため、シーン変化検出部４２は、画像補間部３６が画像補間処理を行わないように、画像補間部３６を制御する。これにより、画像補間部３６は、部分表示領域ＲＰに対して画像補間処理を行わず、直前のフレーム画像Ｆをそのまま再度用いて映像信号Ｓdisp2を生成する。
【００５３】
部分表示領域ＲＰに表示されるべき映像のシーンが切り換わる場合には、動きベクトル検出部３２は、正常に動きベクトルＶを求めることができないため、画像補間部３６がこのような動きベクトルＶに基づいて画像補間処理を行った場合には、いわゆるエラーのある補間画像Ｐｉが生成され、画質が低下するおそれがある。表示装置１では、映像のシーンが切り換わる場合には、画像補間部３６が画像補間処理を行わないようにしたので、画質が低下するおそれを低減することができる。
【００５４】
動き検出部４３は、部分表示領域ＲＰに表示されるべき映像の動きが大きいかどうかを検出する。具体的には、動き検出部４３は、領域信号Ｓｒｐから求めた部分表示領域ＲＰ内において、各動きベクトルＶの大きさが、ブロックマッチング処理における探索範囲を超えるほどの大きさであるかどうかを検出し、探索範囲を超えるほどの大きさである動きベクトルＶの数（検出値Ｄ３）を求める。次に、動き検出部４３は、その検出値Ｄ３を、パラメータ補正部３４から供給されたパラメータＰｂ３と比較し、その検出値Ｄ３がパラメータＰｂ３以上である場合には、画像補間部３６が画像補間処理を行わないように、制御信号ＣＴＬを介して画像補間部３６を制御する。すなわち、映像の動きが大きく、動きベクトルＶの大きさがブロックマッチング処理における探索範囲を超える場合には、動きベクトル検出部３２は、正常に動きベクトルＶを求めることができず、検出値Ｄ３が大きくなり、パラメータＰｂ３以上になるため、動き検出部４３は、画像補間部３６が画像補間処理を行わないように、画像補間部３６を制御する。そして、画像補間部３６は、部分表示領域ＲＰに対して画像補間処理を行わず、直前のフレーム画像Ｆをそのまま再度用いて映像信号Ｓdisp2を生成する。
【００５５】
映像の動きが大きく、動きベクトルＶの大きさがブロックマッチング処理における探索範囲を超える場合には、動きベクトル検出部３２は、正常に動きベクトルＶを求めることができないため、画像補間部３６がこのような動きベクトルＶに基づいて画像補間処理を行った場合には、いわゆるエラーのある補間画像Ｐｉが生成され、画質が低下するおそれがある。表示装置１では、このように映像の動きが大きい場合には、画像補間部３６が画像補間処理を行わないようにしたので、画質が低下するおそれを低減することができる。
【００５６】
映像種別検出部４４は、部分表示領域ＲＰに表示されるべき映像の種別を検出する。その際、映像種別検出部４４は、図２（Ｂ），図３（Ｂ）に示したように、同じフレーム画像Ｅの連続配置が現れるパターン（配置パターン）を用いて、この映像の種別を検出する。以下にその詳細を説明する。
【００５７】
映像種別検出部４４は、静止画検出部４１等と同様に、領域信号Ｓｒｐから求めた部分表示領域ＲＰ内において、動きベクトルＶの大きさの合計値（検出値Ｄ４）を求める。そして、映像種別検出部４４は、フレームレート変換部３０に、映像信号Ｓdispを介してフレーム画像Ｆが供給される度に、同様にこの検出値Ｄ４を求める。
【００５８】
図８は、部分表示領域ＲＰに表示されるべき映像が３：２プルダウンされたフィルム映像である場合の動作を表すものであり、（Ａ）はこのフィルム映像における一連の部分画像Ｐを示し、（Ｂ）は検出値Ｄ４を示す。
【００５９】
図９は、部分表示領域ＲＰに表示されるべき映像が２：２プルダウンされたフィルム映像である場合の動作を表すものであり、（Ａ）はこのフィルム映像における一連の部分画像Ｐを示し、（Ｂ）は検出値Ｄ４を示す。
【００６０】
図８，９において、例えば、“Ｐ(n)”は、ｎ番目の部分画像Ｐを示し、“Ｐ(n+1)”は、（ｎ＋１）番目の部分画像Ｐを示す。図８に示した部分画像Ｐは、図２（Ｂ）に示したフレーム画像Ｅに対応するものであり、図９に示した部分画像Ｐは、図３（Ｂ）に示したフレーム画像Ｅに対応するものである。
【００６１】
３：２プルダウンされた映像は、図８（Ａ）に示したように、３：２プルダウンされた映像は、互いに等しい３枚の部分画像Ｐ（例えば部分画像Ｐ(n)）と、互いに等しい２枚の部分画像Ｐ（例えば部分画像Ｐ(n+1)）が交互に配置される。また、２：２プルダウンされた映像は、図９（Ａ）に示したように、互いに等しい部分画像Ｐが２枚ずつ配置される。よって、時間的に隣接する２枚の部分画像Ｐから求められる検出値Ｄ４は、図８（Ｂ）、図９（Ｂ）に示したように、これらの配置パターンに対応して変化する。すなわち、検出値Ｄ４は、部分画像Ｐが変化しない場合には十分に低い値になり、部分画像Ｐが変化する場合には大きい値になる。
【００６２】
また、図示していないが、部分表示領域ＲＰに表示されるべき映像が４：４プルダウンされたフィルム映像である場合もこれらと同様である。すなわち、４：４プルダウンされた映像は、互いに等しい部分画像Ｐが４枚ずつ配置されるため、検出値Ｄ４もその配置パターンに応じたものとなる。
【００６３】
映像種別検出部４４は、この一連の検出値Ｄ４を、パラメータ補正部３４から供給されたパラメータＰｂ４と比較することにより、一連の検出値Ｄ４のパターン（検出パターン）を得る。この検出パターンは、３：２プルダウンされた映像の場合（図８（Ｂ））では、“ＬＬＨＬＨ”の繰り返しであり、２：２プルダウンされた映像の場合（図９（Ｂ））では、“ＬＨ”の繰り返しであり、４：４プルダウンされた映像の場合では“ＬＬＬＨ”の繰り返しである。ここで、“Ｌ”は、検出値Ｄ４がパラメータＰｂ４より小さいことを示し、“Ｈ”は、検出値Ｄ４がパラメータＰｂ４以上であることを示す。このように、映像種別検出部４４は、検出パターンにより、その映像が３：２プルダウン、２：２プルダウン、４：４プルダウンのいずれにより変換されたフィルム映像であるかを判断する。また、映像種別検出部４４は、これらのいずれの映像にも該当しないと判断した場合には、その映像がビデオ映像であると判断する。そして、映像種別検出部４４は、このようにして検出した映像の種別を、映像種別信号ＣＴＬＭを介して画像補間部３６に伝える。画像補間部３６は、映像種別信号ＣＴＬＭに基づいて、映像の種別に応じた画像補間処理を行う。
【００６４】
図１０は、３：２プルダウンされたフィルム映像に対する画像補間処理を模式的に表すものであり、（Ａ）は処理前の状態を示し、（Ｂ）は処理後の状態を示す。図１０（Ａ），（Ｂ）において、横軸は画面上の水平位置を示し、縦軸は時間を示す。この例では、表示内容の水平方向の動きを例に説明するが、垂直方向についても同様である。
【００６５】
動きベクトル検出部３２は、図１０（Ａ）に示したように、時間的に隣接する２つの部分画像Ｐに基づいて、画素単位で表示内容の水平方向の動きを検出し、水平方向の動きベクトルＶを求める。画像補間部３６は、互いに異なる２枚の部分画像Ｐに係る動きベクトルＶに基づいて、画像補間処理を行う。具体的には、画像補間部３６は、例えば、２枚の部分画像Ｐ(n)，Ｐ(n+1) から取得した動きベクトルＶ１を５等分してベクトルＷ１を生成して、これに基づいて４枚の補間部分画像Ｐｉを生成する。また、画像補間部３６は、２枚の部分画像Ｐ(n+1)，Ｐ(n+2) から取得した動きベクトルＶ２を５等分してベクトルＷ２を生成して、これに基づいて４枚の補間部分画像Ｐｉを生成する。
【００６６】
図１１は、２：２プルダウンされたフィルム映像に対する画像補間処理を模式的に表すものであり、（Ａ）は処理前の状態を示し、（Ｂ）は処理後の状態を示す。この例では、画像補間部３６は、例えば、２枚の部分画像Ｐ(n)，Ｐ(n+1) から取得した動きベクトルＶを４等分してベクトルＷを生成して、これに基づいて３枚の補間部分画像Ｐｉを生成する。
【００６７】
また、図示していないが、４：４プルダウンされたフィルム映像に対する画像補間処理も、これらと同様である。すなわち、画像補間部３６は、例えば、２枚の部分画像Ｐ(n)，Ｐ(n+1) から取得した動きベクトルＶを８等分してベクトルＷを生成して、これに基づいて７枚の補間部分画像Ｐｉを生成する。
【００６８】
図１２は、ビデオ映像に対する画像補間処理を模式的に表すものであり、（Ａ）は処理前の状態を示し、（Ｂ）は処理後の状態を示す。この例では、画像補間部３６は、例えば、２枚の部分画像Ｐ(n)，Ｐ(n+1) から取得した動きベクトルＶを２等分してベクトルＷを生成して、これに基づいて１枚の補間部分画像Ｐｉを生成する。
【００６９】
このようにして、画像補間部３６は、映像種別信号ＣＴＬＭに基づいて、映像の種別に応じた画像補間処理を行う。
【００７０】
（パラメータ補正部３４）
パラメータ補正部３４は、領域信号Ｓｒｐから求めた部分表示領域ＲＰの大きさ（画素数）に基づいて、パラメータＰａ１〜Ｐａ４をそれぞれ補正することにより、パラメータＰｂ１〜Ｐｂ４を生成する。以下に、その詳細を説明する。
【００７１】
図１３は、ＩＰＴＶ映像表示モードにおける部分表示領域ＲＰの一例を表すものであり、（Ａ）はケースＣ１の場合を示し、（Ｂ）はケースＣ２の場合を示す。この例では、ケースＣ２における部分表示領域ＲＰの大きさは、ケースＣ１における部分表示領域ＲＰの大きさの２倍である。
【００７２】
上述したように、制御部４０の各検出部は、部分表示領域ＲＰに表示されるべき映像における動きベクトルＶを用いて検出した検出値Ｄ１〜Ｄ４と、パラメータ補正部３４から供給されたパラメータＰｂ１〜Ｐｂ４とを比較し、その比較結果に基づいて画像補間部３６を制御する。その際、検出値Ｄ１〜Ｄ４は、部分表示領域ＲＰの大きさにほぼ比例して大きくなる。よって、パラメータ補正部３４は、パラメータＰａ１〜Ｐａ４を、部分表示領域ＲＰの大きさに比例するように補正することにより、パラメータＰｂ１〜Ｐｂ４を生成する。以下に、パラメータ補正部３４の動作を、制御部４０の映像種別検出部４４における検出動作を例に説明する。
【００７３】
図１４は、部分表示領域ＲＰに表示されるべき映像が３：２プルダウンされたフィルム映像である場合の動作を表すものであり、（Ａ）はこのフィルム映像における一連の部分画像Ｐを示し、（Ｂ）はケースＣ１における検出値Ｄ４を示し、（Ｃ）はケースＣ２における検出値Ｄ４を示す。
【００７４】
映像種別検出部４４において検出された検出値Ｄ４は、図１４（Ｂ），（Ｃ）に示したように、３：２プルダウンされた映像（図１４（Ａ））の配置パターンに対応して変化する。その際、各検出値Ｄ４は、部分表示領域ＲＰ内における動きベクトルＶの大きさの合計値であるため、図１４（Ｂ），（Ｃ）に示したように、部分表示領域ＲＰの大きさに比例して変化する。
【００７５】
その際、パラメータ補正部３４は、領域信号Ｓｒｐに基づいて部分表示領域ＲＰの画素数を取得し、パラメータ設定部１４から供給されたパラメータＰａ４に対して、部分表示領域ＲＰの画素数に比例するように補正して、パラメータＰｂ４を生成する。これにより、映像種別検出部４４では、図１４（Ｂ），（Ｃ）に示したように、部分表示領域ＲＰの大きさに応じて検出値Ｄ４が変化するのと同様に、パラメータＰｂ４が変化する。これにより、映像種別検出部４４は、部分表示領域ＲＰの大きさが変化しても、検出値Ｄ４とパラメータＰｂ４との比較を同じように行うことができる。すなわち、映像種別検出部４４は、部分表示領域ＲＰの大きさに依らずに同じように画像補間部３６を制御することができるため、部分表示領域ＲＰの大きさにより部分表示領域ＲＰにおける映像の画質が変化するおそれを低減することができる。
【００７６】
以上、制御部４０の映像種別検出部４４における検出動作を例に説明したが、制御部４０の他の検出部、すなわち、静止画検出部４１、シーン変化検出部４２、および動き検出部４３でも全く同様である。このように、表示装置１では、部分表示領域ＲＰの画素数に応じてパラメータＰａを補正し、その補正されたパラメータＰｂに基づいて画像補間部３６を制御するようにしたので、部分表示領域ＲＰの大きさにより部分表示領域ＲＰにおける映像の画質が変化するおそれを低減することができる。
【００７７】
［効果］
以上のように本実施の形態では、部分表示領域のみに対して画像補間処理を行うことによりフレームレート変換を行うようにした。これにより、例えばＩＰＴＶ映像表示モードのように、部分表示領域内に動画を表示し、部分表示領域外において静止画を表示する場合において、画質を高めることができる。具体的には、部分表示領域内に対しては、画像補間処理を行うことによりその動画の画質を高めることができ、部分表示領域外に対しては、画像補間処理を行わないので、ノイズなどにより０でない動きベクトルが発生してしまった場合でも、静止画の画質が低下するおそれを低減することができる。
【００７８】
また、本実施の形態では、映像信号処理部から供給された領域信号に基づいて、フレームレート変換部が部分表示領域の大きさを取得するようにしたので、フレームレート変換部が映像信号に基づいて部分表示領域を検出する必要がないため、フレームレート変換部の構成をシンプルにすることができる。
【００７９】
また、本実施の形態では、部分表示領域内の動きベクトルのみに基づいて、所定の検出動作を行い、画像補間部を制御するようにしたので、部分表示領域外における動きベクトルの影響を受けないため、画像補間処理により生成される映像の画質の低下を抑えることができる。
【００８０】
また、本実施の形態では、パラメータを部分表示領域の画素数に応じて補正するようにしたので、部分表示領域の大きさに応じて、部分表示領域における映像の画質が変化するおそれを低減することができる。
【００８１】
［変形例１］
上記実施の形態では、パラメータＰａを部分表示領域ＲＰの画素数に比例するように補正したが、これに限定されるものではなく、これに代えて、例えば、パラメータＰａを補正する代わりに、検出値Ｄ１〜Ｄ４を補正するように構成してもよい。図１５は、本変形例に係るフレームレート変換部３０Ｂの一構成例を表すものである。フレームレート変換部３０Ｂは、制御部４０Ｂを備えている。制御部４０Ｂは、静止画検出部４１Ｂと、シーン変化検出部４２Ｂと、動き検出部４３Ｂと、映像種別検出部４４Ｂとを有している。これらの検出部は、それぞれ、検出値Ｄ１〜Ｄ４を取得した後、これらの検出値Ｄ１〜Ｄ４を部分表示領域ＲＰの画素数に反比例するように補正して検出値Ｄ１Ｂ〜Ｄ４Ｂを求め、それらの検出値Ｄ１Ｂ〜Ｄ４Ｂと、パラメータ設定部１４から供給されたパラメータＰａとを比較する。このように構成しても、上記実施の形態と同様の効果を得ることができる。
【００８２】
［変形例２］
上記実施の形態では、ＩＰＴＶ映像表示モードにおいて、部分表示領域ＲＰの大きさは、供給されたＩＰＴＶ映像の大きさに応じて変化するものとしたが、これに限定されるものではなく、ユーザ設定によって、その大きさを調整することができるように構成してもよい。図１６は、本変形例に係る表示装置１Ｃの一構成例を表すものである。表示装置１Ｃは、サイズ設定部１８と、映像信号処理部１２Ｃを備えている。サイズ設定部１８は、ユーザが、図４等に示した部分表示領域ＲＰの大きさを設定するためのものである。映像信号処理部１２Ｃは、サイズ設定部１８からの指示に基づいて、部分表示領域ＲＰの大きさを設定可能に構成されたものである。これにより、ユーザは、例えば、部分表示領域ＲＰに表示されたＩＰＴＶ映像を観察し、そのＩＰＴＶ映像が小さいと感じた場合には、部分表示領域ＲＰを２倍の面積に拡大することにより、より大きなＩＰＴＶ映像を観察することができる。
【００８３】
［変形例３］
上記実施の形態では、ＩＰＴＶ映像を表示する場合を例に説明したが、これに限定されるものではない。例えば、放送波などにより供給される放送映像を、部分表示領域ＲＰ（図４等）に表示してもよいし、ＨＤＭＩ（High-Definition Multimedia Interface）インターフェースを備える表示装置において、ＨＤＭＩケーブルを介して接続された録画再生機から供給された映像を、部分表示領域ＲＰに表示してもよい。
［変形例４］
上記実施の形態では、制御部４０の映像種別検出部４４が、部分表示領域ＲＰに表示されるべき映像の種別を検出し、制御部４０がその検出結果に基づいて映像種別信号ＣＴＬＭを生成したが、これに限定されるものではなく、これに代えて、例えば、図１７，１８に示したように、映像信号処理部１２Ｅがこの映像種別信号ＣＴＬＭを生成してもよい。具体的には、映像信号処理部１２Ｅは、例えば、変換処理部１３における変換処理に応じて映像の種別を取得し、これに基づいて映像種別信号ＣＴＬＭを生成し、フレームレート変換部３０Ｅに供給する。そして、フレームレート変換部３０Ｅでは、図１８に示したように、この映像種別信号ＣＴＬＭが画像補間部３６に直接供給される。これにより、フレームレート変換部３０Ｅの制御部４０Ｅは、映像信号検出部４４を設ける必要がないため、構成をよりシンプルにすることができる。
【００８４】
以上、実施の形態および変形例を挙げて本技術を説明したが、本技術はこれらの実施の形態等には限定されず、種々の変形が可能である。
【００８５】
例えば、上記実施の形態等では、制御部４０は、静止画検出部４１、シーン変化検出部、動き検出部４３、映像種別検出部４４を有し、４種類の検出動作に基づいて画像補間部３６を制御したが、これに限定されるものではない。例えば、これら４つのうちの一部を備えていなくてもよいし、他の検出を行う検出部をさらに備えていてもよい。
【００８６】
なお、本技術は以下のような構成とすることができる。
【００８７】
（１）フレーム映像のフレームレートを変換するフレームレート変換部と、
前記フレームレート変換部により変換された映像に基づいて表示を行う表示部と
を備え、
前記フレームレート変換部は、前記表示部の主画面の一部領域に配置された子画面の大きさに基づき、前記子画面の映像に対して、時間軸に沿った補間処理を行う
表示装置。
【００８８】
（２）前記フレームレート変換部は、前記子画面の映像における動き量を検出し、その動き量および前記子画面の大きさに基づいて、前記補間処理を行う
前記（１）に記載の表示装置。
【００８９】
（３）前記フレームレート変換部は、前記動き量をしきい値と比較し、その比較結果に応じて前記補間処理を行う
前記（２）に記載の表示装置。
【００９０】
（４）前記フレームレート変換部は、前記子画面の大きさに基づいて前記しきい値を補正する
前記（３）に記載の表示装置。
【００９１】
（５）前記フレームレート変換部は、前記子画面が大きいほど、前記しきい値を大きくするように補正する
前記（４）に記載の表示装置。
【００９２】
（６）前記フレームレート変換部は、前記子画面の大きさに基づいて前記動き量を補正する
前記（２）または（３）に記載の表示装置。
【００９３】
（７）前記フレームレート変換部は、前記子画面が大きいほど、前記動き量を小さくするように補正する
前記（６）に記載の表示装置。
【００９４】
（８）前記動き量は、前記子画面の映像における各動きベクトルの大きさの和である
前記（２）から（７）のいずれかに記載の表示装置。
【００９５】
（９）前記動き量は、前記子画面の映像において、大きさが所定値よりも大きい動きベクトルの数である
前記（２）から（７）のいずれかに記載の表示装置。
【００９６】
（１０）前記フレームレート変換部は、前記動き量および前記子画面の大きさに基づいて、選択的に前記補間処理を行う
前記（８）または（９）に記載の表示装置。
【００９７】
（１１）前記子画面の映像は動画である
前記（１）から（１０）のいずれかに記載の表示装置。
【００９８】
（１２）前記子画面の映像では、互いに等しい画像の時間軸に沿った連続配置が、所定のパターンで生じる
前記（１１）に記載の表示装置。
【００９９】
（１３）前記フレームレート変換部は、前記動き量に基づいて前記所定のパターンを検出し、その所定のパターンに応じて、前記補間処理の方法を変更する
前記（１２）に記載の表示装置。
【０１００】
（１４）入力映像に含まれる各画像を、前記所定のパターンになるように繰り返すことにより、前記子画面の映像を生成する映像生成部をさらに備えた
前記（１２）または（１３）に記載の表示装置。
【０１０１】
（１５）前記入力映像はＩＰＴＶ映像である
前記（１４）に記載の表示装置。
【０１０２】
（１６）前記子画面の映像を含むフレーム映像を生成するとともに、前記子画面の映像を配置した領域を示す領域情報を生成する処理部をさらに備え、
前記フレームレート変換部は、前記領域情報に基づいて、前記子画面の大きさを取得する
前記（１）から（１５）のいずれかに記載の表示装置。
【０１０３】
（１７）フレーム映像のフレームレートを変換するフレームレート変換部を備え、
前記フレームレート変換部は、表示部の主画面の一部領域に配置された子画面の大きさに基づき、前記子画面の映像に対して、時間軸に沿った補間処理を行う
フレームレート変換装置。
【０１０４】
（１８）表示部の主画面の一部領域に配置された子画面の映像に対する時間軸に沿った補間処理を、前記子画面の大きさに基づいて制御し、映像のフレームレートを変換し、表示を行う
表示方法。
【符号の説明】
【０１０５】
１，１Ｂ，１Ｃ，１Ｅ…表示装置、１１…チューナ、１２，１２Ｅ…映像信号処理部、１３…変換処理部、１４…パラメータ設定部、１５…映像処理部、１６…表示駆動部、１７…表示部、１８…サイズ設定部、１９…アンテナ、２１…ネットワークインターフェース、２２…ＣＰＵ、２３…メモリ、２４…フラッシュＲＯＭ、２９…内部バス、３０，３０Ｂ，３０Ｅ…フレームレート変換部、３１…フレームメモリ、３２…動きベクトル検出部、３４…パラメータ補正部、３６…画像補間部、４０，４０Ｂ，４０Ｅ…制御部、４１，４１Ｂ…静止画検出部、４２，４２Ｂ…シーン変化検出部、４３，４３Ｂ…動き検出部、４４，４４Ｂ…映像種別検出部、ＣＴＬ…制御信号、ＣＴＬＭ…映像種別信号、Ｄ１〜Ｄ４…検出値、Ｅ，Ｆ…フレーム画像、ＮＷ…インターネット、Ｐ…部分画像、Ｐａ，Ｐａ１〜Ｐａ４，Ｐｂ，Ｐｂ１〜Ｐｂ４…パラメータ、ＲＰ…部分表示領域、Ｓdisp，Ｓdisp2…映像信号、Ｓpix…画素深奥、Ｓｒｐ…領域信号、Ｓｖ…動きベクトル信号、Ｖ，Ｖ１，Ｖ２…動きベクトル、Ｗ１，Ｗ２…ベクトル。
【図１】
2013143646.tif 000003
【図２】
2013143646.tif 000004
【図３】
2013143646.tif 000005
【図４】
2013143646.tif 000006
【図５】
2013143646.tif 000007
【図６】
2013143646.tif 000008
【図７】
2013143646.tif 000009
【図８】
2013143646.tif 000010
【図９】
2013143646.tif 000011
【図１０】
2013143646.tif 000012
【図１１】
2013143646.tif 000013
【図１２】
2013143646.tif 000014
【図１３】
2013143646.tif 000015
【図１４】
2013143646.tif 000016
【図１５】
2013143646.tif 000017
【図１６】
2013143646.tif 000018
【図１７】
2013143646.tif 000019
【図１８】
2013143646.tif 000020